(57)【要約】【課題】消去光源及びそれを駆動する駆動回路の動作状態を判定し、不具合個所を容易に特定する。【解決手段】消去光源４１ａを消灯するＯＦＦ信号をインバータ回路６４ａの光源駆動部７２ａに出力し、不点灯検出信号生成部７４から０Ｖの不点灯検出信号を受信した場合、光源駆動部７２ａに不具合があるものと判定し、ＯＮ信号をインバータ回路６４ａに出力し、不点灯検出信号生成部７４から５Ｖの不点灯検出信号を受信した場合、消去光源４１ａに不具合があるものと判定する。【選択図】図４
2007133321.tif 000002
【特許請求の範囲】
【請求項１】
画像蓄積記録媒体に消去光を照射し、残存する画像情報を消去する消去装置において、
前記消去光を出力する消去光源と、
前記消去光源を駆動する駆動回路と、
前記駆動回路を制御する制御回路と、
を備え、
前記駆動回路は、前記消去光源が不点灯状態であるか否かを示す不点灯検出信号を生成する不点灯検出信号生成部を有し、
前記制御回路は、前記消去光源の点灯制御を行う光源点灯制御信号を生成し、前記駆動回路に出力する光源点灯制御信号生成部と、前記光源点灯制御信号及び前記不点灯検出信号に従い、前記駆動回路及び／又は前記消去光源の不具合状態を判定する不具合状態判定部とを有することを特徴とする消去装置。
【請求項２】
請求項１記載の装置において、
前記不具合状態判定部は、前記光源点灯制御信号が前記消去光源を消灯させる信号であり、且つ、前記不点灯検出信号が前記消去光源の点灯状態を示す信号であるとき、前記駆動回路に不具合があるものと判定することを特徴とする消去装置。
【請求項３】
請求項１記載の装置において、
前記不具合状態判定部は、前記光源点灯制御信号が前記消去光源を点灯させる信号であり、且つ、前記不点灯検出信号が前記消去光源の不点灯状態を示す信号であるとき、前記消去光源に不具合があるものと判定することを特徴とする消去装置。
【請求項４】
画像蓄積記録媒体に消去光を照射し、残存する画像情報を消去する消去装置の状態判定方法において、
消去光源の点灯制御を行う光源点灯制御信号を生成し、前記光源点灯制御信号を前記消去光源を駆動する駆動回路に出力するステップと、
前記光源点灯制御信号に基づいて前記消去光源を駆動するステップと、
前記消去光源が不点灯状態であるか否かを検出し、不点灯検出信号を出力するステップと、
前記光源点灯制御信号及び前記不点灯検出信号に従い、前記駆動回路及び／又は前記消去光源の不具合状態を判定するステップと、
を有することを特徴とする消去装置の状態判定方法。
【請求項５】
請求項４記載の方法において、
前記不具合状態を判定するステップでは、前記光源点灯制御信号が前記消去光源を消灯させる信号であり、且つ、前記不点灯検出信号が前記消去光源の点灯状態を示す信号であるとき、前記駆動回路に不具合があるものと判定することを特徴とする消去装置の状態判定方法。
【請求項６】
請求項４記載の方法において、
前記不具合状態を判定するステップでは、前記光源点灯制御信号が前記消去光源を点灯させる信号であり、且つ、前記不点灯検出信号が前記消去光源の不点灯状態を示す信号であるとき、前記消去光源に不具合があるものと判定することを特徴とする消去装置の状態判定方法。
【発明の詳細な説明】
【技術分野】
【０００１】
本発明は、画像蓄積記録媒体に消去光を照射し、残存する画像情報を消去する消去装置及びその状態判定方法に関する。
【背景技術】
【０００２】
例えば、ある種の蛍光体に放射線（Ｘ線、α線、β線、γ線、紫外線、電子線等）を照射すると、この放射線のエネルギの一部が蛍光体に蓄積され、その後、その蛍光体に可視光等の励起光を照射すると、蓄積されたエネルギに応じた輝尽発光光が出力される。
【０００３】
このような蛍光体からなる蓄積性蛍光体パネルを利用して、人体等の被写体の放射線画像情報を一旦蓄積性蛍光体パネルに蓄積記録し、これを励起光で走査して得られる輝尽発光光を光電的に読み取って画像信号を得、この画像信号を処理して診断適性の良い画像を得る放射線画像情報読取装置が開発されている。
【０００４】
ここで、放射線画像情報の読み取られた蓄積性蛍光体パネルは、蛍光体の励起光波長領域の光を含む消去光を照射し、残存する放射線画像情報を消去することにより、繰り返し使用することができる。従って、放射線画像情報読取装置には、放射線画像情報を読み取る読取部に加えて、蓄積性蛍光体パネルに消去光を照射することで消去処理を行う消去部を組み込んだものがある。
【０００５】
なお、放射線画像情報読取装置は、蓄積性蛍光体パネルに代えて、光変換方式の放射線固体検出器を利用して放射線画像情報を取得することもできる（特許文献１参照）。この光変換方式の放射線固体検出器は、多数の固体検出素子を行列状に配列して形成したもので、放射線が照射されると、放射線量に応じた静電潜像が固体検出素子に蓄積記録される。静電潜像を読み取る際には、放射線固体検出器に読取光を照射し、発生した電流の値を放射線画像情報として取得する。この場合、放射線固体検出器は、蓄積性蛍光体パネルと同様に、消去光を放射線固体検出器に照射することで、残存する静電潜像である放射線画像情報を消去して再使用することができる。
【０００６】
ところで、消去部を構成する消去光源としては、熱陰極管、キセノンランプ、ナトリウムランプ等が多く用いられており、インバータ回路から供給される駆動信号によって駆動されて消去光を出力する。この場合、消去光源は、使用中に不点灯状態となる不具合の発生する可能性がある。また、インバータ回路には、例えば、回路中に異常電流が流れた場合に電気回路を切断状態とするヒューズ等の安全回路が組み込まれており、この安全回路が作動することにより消去光源が不点灯状態となることもある。
【０００７】
このような消去光源の不点灯状態が発生したとき、その原因を特定する必要がある。従来、例えば、特許文献２に開示されているように、消去光源の出力エネルギを検出して異常の有無を判定するようにしたものがある。
【０００８】
【特許文献１】特開２００４−１５４４０９号公報
【特許文献２】特許第２６９３７１９号公報
【発明の開示】
【発明が解決しようとする課題】
【０００９】
しかしながら、前記の従来技術では、インバータ回路の異常であるか、消去光源の異常であるかを切り分けて判定することはできない。従って、メンテナンス等に際しては、インバータ回路及び消去光源の双方の状態を確認して不具合個所を特定しなければならないため、作業に長時間を要してしまう。
【００１０】
本発明の目的は、消去光源及びそれを駆動する駆動回路の動作状態を判定し、不具合個所を容易に特定することのできる消去装置及びその状態判定方法を提供することにある。
【課題を解決するための手段】
【００１１】
本発明は、画像蓄積記録媒体に消去光を照射し、残存する画像情報を消去する消去装置において、
前記消去光を出力する消去光源と、
前記消去光源を駆動する駆動回路と、
前記駆動回路を制御する制御回路と、
を備え、
前記駆動回路は、前記消去光源が不点灯状態であるか否かを示す不点灯検出信号を生成する不点灯検出信号生成部を有し、
前記制御回路は、前記消去光源の点灯制御を行う光源点灯制御信号を生成し、前記駆動回路に出力する光源点灯制御信号生成部と、前記光源点灯制御信号及び前記不点灯検出信号に従い、前記駆動回路及び／又は前記消去光源の不具合状態を判定する不具合状態判定部とを有することを特徴とする。
【００１２】
また、本発明は、画像蓄積記録媒体に消去光を照射し、残存する画像情報を消去する消去装置の状態判定方法において、
消去光源の点灯制御を行う光源点灯制御信号を生成し、前記光源点灯制御信号を前記消去光源を駆動する駆動回路に出力するステップと、
前記光源点灯制御信号に基づいて前記消去光源を駆動するステップと、
前記消去光源が不点灯状態であるか否かを検出し、不点灯検出信号を出力するステップと、
前記光源点灯制御信号及び前記不点灯検出信号に従い、前記駆動回路及び／又は前記消去光源の不具合状態を判定するステップと、
を有することを特徴とする。
【発明の効果】
【００１３】
本発明では、制御回路から光源点灯制御信号を消去光源の駆動回路に出力し、駆動回路で生成される消去光源が不点灯状態であるか否かを示す不点灯検出信号と、前記光源点灯制御信号とに従い、駆動回路及び消去光源の動作状態を判定し、不具合がある場合には、その不具合個所を容易に特定することができる。なお、制御回路に駆動回路が接続されていない場合、あるいは、接続状態に不具合がある場合には、不点灯検出信号が生成されないため、駆動回路の不具合として判定することができる。このようにして不具合の原因を特定することができるため、不具合の解消処理を迅速に遂行することができる。
【発明を実施するための最良の形態】
【００１４】
図１は、本実施形態の放射線画像情報読取装置１０の外観図、図２は、その内部構成図である。
【００１５】
図１において、放射線画像情報読取装置１０は、ケーシング１２の上部にカセッテ装填部１４を備え、このカセッテ装填部１４に形成された装填口１５に対して、放射線画像情報が蓄積記録された蓄積性蛍光体パネル１６を収容したカセッテ１８（１８ａ）が装填される。なお、カセッテ１８ａは、カセッテ１８よりもサイズが小さいものである。
【００１６】
カセッテ装填部１４は、矢印方向に個別に変位自在なカバー部材２０ａ、２０ｂを有する。大サイズのカセッテ１８が装填されたときには、カバー部材２０ａ、２０ｂの両方が変位して装填口１５の全体が開放され、小サイズのカセッテ１８ａが装填されたときには、カバー部材２０ａのみが変位して装填口１５の一部が開放される。これにより、放射線画像情報読取装置１０の内部への塵埃の侵入を抑制することができる。カセッテ装填部１４の側部には、電源ボタン２２、操作ボタン２４、表示部２６等が配設される。
【００１７】
図２において、放射線画像情報読取装置１０の内部の装填口１５に近接する部位には、装填されたカセッテ１８（１８ａ）に収容されている蓄積性蛍光体パネル１６のサイズ、感度等の種別情報、固有番号等（以下、「パネル情報」という。）を読み取るパネル情報読取部２７と、カセッテ１８（１８ａ）の蓋部材２１のロックを解除するロック解除機構２８と、蓋部材２１が開蓋されたカセッテ１８（１８ａ）から蓄積性蛍光体パネル１６を吸着して取り出す吸着盤３０と、吸着盤３０によって取り出された蓄積性蛍光体パネル１６を挟持搬送するニップローラ３２とが配設される。
【００１８】
なお、パネル情報読取部２７は、例えば、カセッテ１８（１８ａ）又は蓄積性蛍光体パネル１６に装着されたバーコード、ＩＣチップ等に記録されたパネル情報を読み取るバーコードリーダ、ＲＦＩＤ等の読取手段によって構成することができる。
【００１９】
ニップローラ３２に連設して、複数の搬送ローラ３４ａ〜３４ｇ及び複数のガイド板３６ａ〜３６ｆが配設され、これらにより湾曲搬送路３８が構成される。湾曲搬送路３８は、カセッテ装填部１４から下方向に延在した後、最下部において略水平状態となり、次いで、略鉛直上方向に延在する。これにより、放射線画像情報読取装置１０の小型化が達成される。
【００２０】
ニップローラ３２と搬送ローラ３４ａとの間には、読取処理が終了した蓄積性蛍光体パネル１６に残存する放射線画像情報を消去するための消去ユニット３９が配設される。消去ユニット３９は、消去光を出力する冷陰極管からなる複数の消去光源４１ａ〜４１ｄを有する。
【００２１】
湾曲搬送路３８の最下部に配設される搬送ローラ３４ｄ、３４ｅ間には、プラテンローラ４３が配設される。そして、プラテンローラ４３の上部には、ハウジング４５に収容され、蓄積性蛍光体パネル１６に蓄積記録された放射線画像情報を読み取る走査ユニット４７が配設される。
【００２２】
走査ユニット４７は、励起光であるレーザビームＬを導出して蓄積性蛍光体パネル１６を走査する励起部４０と、レーザビームＬによって励起されて出力される放射線画像情報に係る輝尽発光光を読み取る画像情報読取部４２とを備える。
【００２３】
励起部４０は、レーザビームＬを出力するレーザ発振器４４と、レーザビームＬを蓄積性蛍光体パネル１６の主走査方向に偏向する回転多面鏡であるポリゴンミラー４６と、レーザビームＬを反射させ、プラテンローラ４３上を通過する蓄積性蛍光体パネル１６に導く反射ミラー４８とを備える。
【００２４】
画像情報読取部４２は、一端部がプラテンローラ４３上の蓄積性蛍光体パネル１６に近接して配置される光ガイド５０と、光ガイド５０の他端部に連結され、蓄積性蛍光体パネル１６から得られた輝尽発光光を電気信号に変換するフォトマルチプライヤ５２とを備える。なお、光ガイド５０の一端部には、輝尽発光光の集光効率を高めるための集光ミラー５４が近接して配設される。
【００２５】
図３は、消去ユニット３９を構成する消去光源４１ａ、４１ｂを駆動するインバータ回路基板５６ａと、消去光源４１ｃ、４１ｄを駆動するインバータ回路基板５６ｂと、インバータ回路基板５６ａ、５６ｂを制御する制御回路基板５８との接続状態を示す。制御回路基板５８は、４枚のインバータ回路基板が接続可能な４つの接続スロット６０ａ〜６０ｄを有し、２〜８本の消去光源の制御に対応可能である。本実施形態の放射線画像情報読取装置１０では、２つの接続スロット６０ａ、６０ｂが選択され、これらの接続スロット６０ａ、６０ｂにインバータ回路基板５６ａ、５６ｂがそれぞれ接続される。
【００２６】
図４は、制御回路基板５８に形成される制御回路６２と、インバータ回路基板５６ａ、５６ｂに形成されるインバータ回路６４ａ、６４ｂ（駆動回路）と、消去ユニット３９を構成する消去光源４１ａ〜４１ｄとの接続ブロック図を示す。なお、制御回路基板５８の各接続スロット６０ａ、６０ｂには、インタフェース６６ａ〜６６ｄ（以下、Ｉ／Ｆ６６ａ〜６６ｄという。）が形成され、この中、Ｉ／Ｆ６６ａ、６６ｂにインバータ回路６４ａ、６４ｂが接続される。
【００２７】
制御回路６２は、消去光源４１ａ〜４１ｄを点灯させる点灯信号（ＯＮ信号）及び消灯させる消灯信号（ＯＦＦ信号）である光源点灯制御信号を生成する光源点灯制御信号生成部６８と、前記光源点灯制御信号に従ってインバータ回路６４ａ、６４ｂ及び消去ユニット３９を制御し、その制御結果に基づいて、インバータ回路６４ａ、６４ｂ及び／又は消去ユニット３９の不具合の有無を判定するとともに不具合個所を特定する不具合状態判定部７０とを備える。
【００２８】
インバータ回路６４ａは、制御回路６２の光源点灯制御信号生成部６８から供給された光源点灯制御信号に基づいて駆動信号を生成し、消去光源４１ａ、４１ｂをそれぞれ駆動する光源駆動部７２ａ、７２ｂと、光源駆動部７２ａ、７２ｂから出力される駆動信号に基づき、消去光源４１ａ、４１ｂが不点灯状態であるか否かを示す不点灯検出信号を生成する不点灯検出信号生成部７４とを備える。不点灯検出信号は、例えば、消去光源４１ａ、４１ｂが不点灯状態であるとき、５Ｖに設定され、消去光源４１ａ、４１ｂが点灯状態であるとき、０Ｖに設定されるものとする。不点灯検出信号は、Ｉ／Ｆ６６ａを介して制御回路６２の不具合状態判定部７０に送信される。なお、Ｉ／Ｆ６６ａと各光源駆動部７２ａ、７２ｂとの間には、例えば、インバータ回路６４ａに異常電流が流れた場合に電気回路を切断状態とするヒューズ７６ａ、７６ｂが接続される。
【００２９】
消去ユニット３９の消去光源４１ｃ、４１ｄを駆動するインバータ回路６４ｂは、インバータ回路６４ａと同一の構成からなるため、その説明を省略する。
【００３０】
本実施形態の放射線画像情報読取装置１０は、基本的には以上のように構成されるものであり、次に、その動作について説明する。なお、図３に示すように、消去ユニット３９を駆動するインバータ回路６４ａ、６４ｂが形成された２枚のインバータ回路基板５６ａ、５６ｂが、制御回路６２が形成された制御回路基板５８の接続スロット６０ａ、６０ｂに装填されているものとして説明する。
【００３１】
先ず、放射線画像情報が蓄積記録された蓄積性蛍光体パネル１６を収納したカセッテ１８（１８ａ）は、蓋部材２１を下としてカセッテ装填部１４の装填口１５に装填される。
【００３２】
次いで、パネル情報読取部２７が、カセッテ１８（１８ａ）又はそれに収容されている蓄積性蛍光体パネル１６から蓄積性蛍光体パネル１６の種別等を含むパネル情報を読み取る。
【００３３】
パネル情報が読み取られると、ロック解除機構２８が駆動され、蓋部材２１のロック状態が解除されて開蓋される。次いで、吸着盤３０が蓄積性蛍光体パネル１６を吸着し、カセッテ１８（１８ａ）から蓄積性蛍光体パネル１６を取り出してニップローラ３２間に供給する。ニップローラ３２により挟持された蓄積性蛍光体パネル１６は、消去ユニット３９を通過し、搬送ローラ３４ａ〜３４ｇ及びガイド板３６ａ〜３６ｆからなる湾曲搬送路３８を介して、走査ユニット４７の下部に搬送される。
【００３４】
蓄積性蛍光体パネル１６は、搬送ローラ３４ｄ及び３４ｅにより略水平方向に副走査搬送される。このとき、励起部４０を構成するレーザ発振器４４から出力されたレーザビームＬは、高速で回転するポリゴンミラー４６によって反射偏向された後、反射ミラー４８を介して下面部がプラテンローラ４３により支持された蓄積性蛍光体パネル１６に導かれ、蓄積性蛍光体パネル１６を主走査する。
【００３５】
蓄積性蛍光体パネル１６は、レーザビームＬが照射されることで励起され、蓄積記録されている放射線画像情報に応じた輝尽発光光を出力する。この輝尽発光光は、蓄積性蛍光体パネル１６の主走査方向に沿って近接配置された画像情報読取部４２を構成する光ガイド５０の下端部に直接入射し、あるいは、集光ミラー５４を介して入射する。光ガイド５０に入射した輝尽発光光は、内部で反射を繰り返し、上端部のフォトマルチプライヤ５２に導かれる。フォトマルチプライヤ５２は、入射した輝尽発光光を電気信号に変換し、これによって、蓄積性蛍光体パネル１６に蓄積記録されている放射線画像情報が読み取られる。
【００３６】
放射線画像情報の読み取られた蓄積性蛍光体パネル１６は、湾曲搬送路３８を介して走査ユニット４７から再び消去ユニット３９側に搬送される。
【００３７】
消去ユニット３９が正常に動作している場合、パネル情報読取部２７によって読み取ったパネル情報、及び、画像情報読取部４２によって読み取った放射線画像情報に基づいて設定した消去光量に従って消去光源４１ａ〜４１ｄが駆動制御され、消去光源４１ａ〜４１ｄから出力される消去光により、蓄積性蛍光体パネル１６に残存する放射線画像情報の消去処理が行われる。
【００３８】
すなわち、図４において、制御回路６２を構成する光源点灯制御信号生成部６８は、消去光源４１ａ〜４１ｄを点灯させる点灯信号（ＯＮ信号）を生成し、このＯＮ信号をＩ／Ｆ６６ａ、６６ｂを介してインバータ回路６４ａ、６４ｂの光源駆動部７２ａ、７２ｂに供給する。光源駆動部７２ａ、７２ｂは、ＯＮ信号に基づいて駆動信号を生成し、消去光源４１ａ〜４１ｄを駆動する。消去光源４１ａ〜４１ｄから出力された消去光は、蓄積性蛍光体パネル１６に照射され、残存する放射線画像情報が消去される。
【００３９】
残存する放射線画像情報が消去された蓄積性蛍光体パネル１６は、カセッテ装填部１４に装填されているカセッテ１８（１８ａ）に収容され、蓋部材２１が閉蓋された後、カセッテ装填部１４から抜き取られ、次の撮影に供せられる。
【００４０】
次に、制御回路６２に接続されるインバータ回路６４ａ、６４ｂ又はインバータ回路６４ａ、６４ｂに接続される消去光源４１ａ〜４１ｄに不具合があるか否かを判定する場合の処理につき、図５を用いて説明する。なお、この判定処理は、放射線画像情報読取装置１０による通常の処理と並行して常時行うことができるが、放射線画像情報読取装置１０の出荷時、立ち上げ時、不具合が発生したとき、あるいは、所定のメンテナンスの際に行ってもよい。
【００４１】
先ず、制御回路６２において、光源点灯制御信号生成部６８は、消去光源４１ａを点灯させる点灯信号（ＯＮ信号）をＩ／Ｆ６６ａに出力する。Ｉ／Ｆ６６ａにインバータ回路６４ａが接続されており、ヒューズ７６ａが回路を接続状態としている場合、前記ＯＮ信号は、光源駆動部７２ａに供給される。光源駆動部７２ａは、供給されたＯＮ信号に従って駆動信号を生成し、この駆動信号を消去光源４１ａに供給する。駆動信号によって消去光源４１ａが点灯すると、不点灯検出信号生成部７４は、０Ｖの信号を不点灯検出信号として生成し、Ｉ／Ｆ６６ａを介して制御回路６２の不具合状態判定部７０に出力する。
【００４２】
次いで、光源点灯制御信号生成部６８は、消去光源４１ａを消灯させる消灯信号（ＯＦＦ信号）をＩ／Ｆ６６ａに出力する。前記ＯＦＦ信号は、光源駆動部７２ａに供給され、光源駆動部７２ａに供給されたＯＦＦ信号に従って消去光源４１ａが消灯されると、不点灯検出信号生成部７４は、５Ｖの信号を不点灯検出信号として生成し、Ｉ／Ｆ６６ａを介して制御回路６２の不具合状態判定部７０に出力する。
【００４３】
この場合、不具合状態判定部７０は、光源点灯制御信号生成部６８が消去光源４１ａを点灯させるＯＮ信号を出力したときに不点灯検出信号生成部７４から０Ｖの不点灯検出信号を受信し、且つ、消去光源４１ａを消灯させるＯＦＦ信号を出力したときに５Ｖの不点灯検出信号を受信したとき、所定の接続スロット６０ａにインバータ回路基板５６ａが装填されており、且つ、インバータ回路６４ａの光源駆動部７２ａ及び消去光源４１ａが正常に動作しているものと判定する。同様にして、光源駆動部７２ｂ及び消去光源４１ｂが正常に動作していることを判定することができる。
【００４４】
一方、光源点灯制御信号生成部６８が消去光源４１ａを消灯させるＯＦＦ信号をＩ／Ｆ６６ａに出力したとき、Ｉ／Ｆ６６ａにインバータ回路６４ａが接続されていない場合、あるいは、接続スロット６０ａにインバータ回路基板５６ａが装填されていない場合、不具合状態判定部７０は、不点灯検出信号生成部７４から５Ｖの不点灯検出信号を受信することができない。すなわち、不具合状態判定部７０は、消去光源４１ａを消灯させるＯＦＦ信号の出力に対して０Ｖの不点灯検出信号を受信することになり、Ｉ／Ｆ６６ａにインバータ回路６４ａが接続されていないか、あるいは、接続スロット６０ａにインバータ回路基板５６ａが装填されていないものと判定する。また、ヒューズ７６ａが断線状態にあるときも同様であり、光源駆動部７２ａに不具合があるものと判定する。同様にして、光源点灯制御信号生成部６８が消去光源４１ｂを消灯させるＯＦＦ信号をＩ／Ｆ６６ａに出力したとき、不点灯検出信号が０Ｖであれば、Ｉ／Ｆ６６ａにインバータ回路６４ａが接続されていない、接続スロット６０ａにインバータ回路基板５６ａが装填されていない、あるいは、ヒューズ７６ｂが断線状態にあり、光源駆動部７２ｂに不具合があるものと判定する。
【００４５】
光源点灯制御信号生成部６８が消去光源４１ａを点灯させるＯＮ信号をＩ／Ｆ６６ａに出力し、光源駆動部７２ａが消去光源４１ａに駆動信号を出力したとき、消去光源４１ａが点灯しない場合、不点灯検出信号生成部７４は、ＯＦＦ信号を受信したときと同じ５Ｖの不点灯検出信号をＩ／Ｆ６６ａを介して不具合状態判定部７０に出力する。不具合状態判定部７４は、消去光源４１ａが点灯せず、消去光源４１ａに不具合があるものと判定する。同様にして、消去光源４１ｂに不具合があることを判定することができる。
【００４６】
以下、同様にして、インバータ回路６４ｂ、消去光源４１ｃ、４１ｄの不具合の有無を判定することができる。また、不適切な接続スロット６０ｃ、６０ｄにインバータ基板が接続されているか否かを判定することもできる。
【００４７】
以上のように、作業者は、不具合個所の有無を判定できるとともに、その個所を容易に特定できるため、故障等に対する処理を迅速に行うことができる。
【００４８】
なお、上述した実施形態では、画像蓄積記録媒体として、蓄積性蛍光体パネル１６を用いた場合について説明したが、蓄積性蛍光体パネル１６に代えて、光変換方式の放射線固体検出器を使用した場合にも適用することができる。また、画像蓄積記録媒体に蓄積記録される画像情報は、画像蓄積記録媒体に放射線を照射して記録されるものに限られることはなく、例えば、光ビームを画像蓄積記録媒体に照射して記録される場合にも適用可能である。
【図面の簡単な説明】
【００４９】
【図１】本実施形態の放射線画像情報読取装置の外観図である。
【図２】本実施形態の放射線画像情報読取装置の内部構成図である。
【図３】本実施形態の放射線画像情報読取装置に組み込まれる消去ユニットの制御回路基板及びインバータ回路基板の接続状態の説明図である。
【図４】本実施形態の放射線画像情報読取装置に組み込まれる消去ユニットの制御回路及びインバータ回路の接続ブロック図である。
【図５】図４に示す制御回路の不具合状態判定部による判定処理の説明図である。
【符号の説明】
【００５０】
１０…放射線画像情報読取装置  １４…カセッテ装填部
１６…蓄積性蛍光体パネル      １８、１８ａ…カセッテ
３９…消去ユニット            ４０…励起部
４１…消去光源                ４２…画像情報読取部
４７…走査ユニット            ５６ａ、５６ｂ…インバータ回路
５８…制御回路基板            ６０ａ〜６０ｄ…接続スロット
６２…制御回路                ６４ａ、６４ｂ…インバータ回路
６８…光源点灯制御信号生成部  ７０…不具合状態判定部
７２ａ、７２ｂ…光源駆動部    ７４…不点灯検出信号生成部
７６ａ、７６ｂ…ヒューズ
【図１】
2007133321.tif 000003
【図２】
2007133321.tif 000004
【図３】
2007133321.tif 000005
【図４】
2007133321.tif 000006
【図５】
2007133321.tif 000007